(57)【要約】      （修正有）【課題】より細いペン形状の位置指示器を実現する。【解決手段】有底の円筒状の筐体を構成するケース１０１の中空の部分内に、位置検出センサとの間で授受される信号に関与する回路が配設されている基板１０８が設けられる。シート状の誘電体の一方の面に第１の導電体層が形成されると共に、一方の面に対向する他方の面に、第１の導電体層とシート状誘電体を介して対向する第２の導電体層が形成されるフィルム状コンデンサ１１４を用いる。フィルム状コンデンサ１１４を、回路の一部を構成するように基板に固着して配設すると共に、フィルム状コンデンサ１１４の第１導電体層と第２の導電体層とが対向する面積を、フィルム状コンデンサ１１４の大きさを変えることにより変えることで、基板に配設される回路の定数を特定するようにする。【選択図】図１
2014035626.tif 000002
【特許請求の範囲】
【請求項１】
中空の棒状の筒状体を形成する筐体と、
前記筐体の前記中空の部分内に配置され、位置検出センサとの間で授受される信号に関与する回路が配設される基板と、
シート状の誘電体の一方の面に第１の導電体層が形成されると共に、前記一方の面に対向する他方の面に、前記第１の導電体層と前記シート状誘電体を介して対向する第２の導電体層が形成されるフィルム状コンデンサと、
を備え、
前記フィルム状コンデンサを、前記回路の一部を構成するように前記基板に固着して配設すると共に、前記フィルム状コンデンサの前記第１導電体層と前記第２の導電体層とが対向する面積を、前記フィルム状コンデンサの大きさを変えることにより変えることで、前記基板に配設される前記回路の定数を特定するようにした
ことを特徴とする位置指示器。
【請求項２】
前記回路は、インダクタンス素子とコンデンサとで構成される共振回路を含み、
前記フィルム状コンデンサは、前記共振回路を構成するコンデンサの一部を構成し、前記第１の導電体層と前記第２の導電体層とが対向する面積を、前記フィルム状コンデンサの大きさを変えることにより変えることで、前記共振回路の特性を特定する
ことを特徴とする請求項１に記載の位置指示器。
【請求項３】
前記フィルム状コンデンサの前記第１の導電体層及び前記第２の導電体層の少なくとも一方は、前記シート状の誘電体の少なくとも長手方向の端縁よりも内側に形成されている
ことを特徴とする請求項１に記載の位置指示器。
【請求項４】
前記フィルム状コンデンサは、前記基板に対して、前記フィルム状コンデンサの長手方向の少なくとも一方の端部が遊端となるように固着され、前記遊端側を切断することにより、前記フィルム状コンデンサの前記シート状の誘電体を介して対向する前記第１の導電体層及び前記第２の導電体層が対向する面積を変える
ことを特徴とする請求項１に記載の位置指示器。
【請求項５】
前記基板は、前記筐体を構成する筒状体の中心線方向を長手方向とする板状体からなり、
前記板状体の前記基板に前記フィルム状コンデンサの長手方向の一端側が固着されて、前記フィルム状コンデンサの長手方向の他端側が遊端とされる
ことを特徴とする請求項４に記載の位置指示器。
【請求項６】
前記フィルム状コンデンサの前記第１の導電体層は、前記基板の一方の面に形成された第１の導電パターンと導電性接着材を介して電気的に接続され、
前記フィルム状コンデンサの第２の導電体層は、前記基板の一方の面に形成された第２の導電パターンとワイヤボンディングにより電気的に接続される
ことを特徴とする請求項４に記載の位置指示器。
【請求項７】
前記フィルム状コンデンサの前記第１の導電体層は、前記基板の一方の面に形成された第１の導電パターンと電気的に接続され、
前記フィルム状コンデンサの前記第２の導電体層は、前記基板の他方の面に形成された第２の導電パターンと電気的に接続される
ことを特徴とする請求項４に記載の位置指示器。
【請求項８】
前記フィルム状コンデンサの前記第１の導電体層と前記基板の前記第１の導電パターンとを電気的に接続させた部分を含んで、前記基板の前記一方の面と前記他方の面との間を導電性のクリップ部材により挟持することにより、前記フィルム状コンデンサを前記基板に固着すると共に、
前記導電性のクリップ部材を、前記基板の前記第２の導電パターンと電気的に接続させて、前記フィルム状コンデンサの前記２の導電体層を、前記基板の前記第２の導電パターンと電気的に接続する
ことを特徴とする請求項７に記載の位置指示器。
【請求項９】
前記基板と前記フィルム状コンデンサとの少なくともいずれか一方には、長手方向に交差する方向の切れ込み部が形成されており、
前記フィルムコンデンサは前記切れ込み部により前記基板と交差するように組み合わされ、前記フィルムコンデンサの前記第１の導電体層は、前記基板の前記第１の導体パターンと導電性接着材により接着されて電気的に接続され、前記フィルムコンデンサの前記第２の導電体層は、前記基板の前記第２の導体パターンと導電性接着材により接着されて電気的に接続される
ことを特徴とする請求項７に記載の位置指示器。
【請求項１０】
前記フィルム状コンデンサの前記シート状の誘電体の前記一方の面には、前記第１の導電体層と、前記第１の導電体層とは非接続状態の第３の導電体層が形成されると共に、前記シート状誘電体の前記他方の面の前記第２の導電体層は、前記第１の導電体層及び前記第２の導電体層に対向するように形成され、
前記フィルム状コンデンサは、前記第１の導電体層と前記第２の導電体層とからなる第１のコンデンサと、前記第２の導電体層と前記第３の導電体層とからなる第２のコンデンサとを有し、
前記フィルム状コンデンサを切断することにより、前記第１の導電体層と前記第２の導電体層とが対向する面積および前記第２の導電体層と前記第３の導電体層とが対向する面積を独立に変えられるようにし、前記第１の導電体層と前記第２の導電体層とが対向する面積を変えることで、前記基板に配設される前記回路の第１の定数を特定し、前記第２の導電体層と前記第３の導電体層とが対向する面積を変えることで、前記基板に配設される前記回路の第２の定数を特定するようにした
ことを特徴とする請求項１に記載の位置指示器
【請求項１１】
前記フィルム状コンデンサの前記シート状の誘電体の前記一方の面には、前記第１の導電体層と、前記第１の導電体層とは非接続状態の第３の導電体層が形成されると共に、前記シート状誘電体の前記他方の面の前記第２の導電体層は、前記第１の導電体層に対向する前記第２の導電体層とは非接続状態の第４の導電体層が前記第３の導電体層と対向して形成され、
前記フィルム状コンデンサは、前記第１の導電体層と前記第２の導電体層とからなる第１のコンデンサと、前記第３の導電体層と前記第４の導電体層とからなる第２のコンデンサとを有し、
前記フィルム状コンデンサを切断することにより、前記第１の導電体層と前記第２の導電体層とが対向する面積および前記第３の導電体層と前記第４の導電体層とが対向する面積を独立に変えられるようにし、前記第１の導電体層と前記第２の導電体層とが対向する面積を変えることで、前記基板に配設される前記回路の第１の定数を特定し、前記第３の導電体層と前記第４の導電体層とが対向する面積を変えることで、前記基板に配設される前記回路の第２の定数を特定するようにした
ことを特徴とする請求項１に記載の位置指示器。
【請求項１２】
前記第１の導電体層及び前記第３の導電体層は、前記フィルム状コンデンサの長手方向に領域を分離して形成され、前記フィルム状コンデンサの長手方向の前記第１の導電体層と前記第３の導電体層とを分離する位置において、前記フィルム状コンデンサを前記基板に固着し、前記フィルム状コンデンサの長手方向の一方および他方を遊端とするようにした
ことを特徴とする請求項１０または請求項１１に記載の位置指示器。
【請求項１３】
前記フィルム状コンデンサの前記シート状の誘電体の長手方向において、前記第１の導電体層と前記第３の導電体層とを分離する領域に、３個のスルーホールを設け、それら３個のスルーホールのそれぞれを、前記第１の導電体層、第２の導電体層及び第３の導電体層のそれぞれに接続するようにすると共に、
前記３個のスルーホールを前記基板に半田付けすることにより、前記フィルム状コンデンサを前記基板に固着するようにした
ことを特徴とする請求項１２に記載の位置指示器。
【請求項１４】
回路が配設される基板と、
前記シート状の誘電体の一方の面に第１の導電体層が形成されると共に、前記一方の面に対向する他方の面に、前記第１の導電体層と前記シート状の誘電体を介して対向する第２の導電体層が形成されるフィルム状コンデンサと、
を備え、
前記フィルム状コンデンサを、前記回路の一部を構成するように前記基板に固着して配設すると共に、前記フィルム状コンデンサの前記第１導電体層と前記第２の導電体層とが対向する面積を、前記フィルム状コンデンサの大きさを変えることにより変えることで、前記基板に配設される前記回路の定数を特定するようにした
ことを特徴とする電子回路。
【請求項１５】
前記シート状の誘電体の前記一方の面には、複数の導電体層が配置され、前記他方の面には、１または複数の導電体層が配置され、
前記シート状の誘電体の長手方向の中間部分には、前記複数の導電体層のそれぞれに対応するスルーホールが設けられ、
回路が配設された基板は、前記スルーホールに対応する位置にランド部を有し、前記スルーホールと対応するランド部とを半田付けにより固着することにより、前記フィルム状コンデンサが、前記回路の所定のコンデンサを構成する
ことを特徴とする請求項１４に記載の電子回路。
【発明の詳細な説明】
【技術分野】
【０００１】
この発明は、コンデンサを含む時定数回路や共振回路などの電子回路に関する。また、この発明は、座標入力装置と共に使用されるペン形状の位置指示器に関する。
【背景技術】
【０００２】
コンデンサを含む時定数回路や共振回路などの電子回路においては、初期の段階で、コンデンサの静電容量を調整することで、電子機器特有の定数を持つように時定数を設定したり、共振周波数を特有の周波数に合わせ込むように共振条件を設定したりして、製品として調整をする。その際に、コンデンサの静電容量は、トリマーコンデンサなどで調整が行われている。
【０００３】
また、電磁誘導方式の座標入力装置は、例えば特許文献１（特開２００２−２４４８０６号公報）に開示されているように、多数のループコイルを座標軸のＸ軸方向及びＹ軸方向に配設してなるセンサと、コイルとコンデンサとからなる共振回路を有するペン形状の位置指示器とからなり、位置指示器とセンサとの間での電磁誘導作用に基づいて、位置指示器により指示された位置のＸ軸方向及びＹ軸方向の座標値を検出するものである。Ｘ軸方向及びＹ軸方向は、例えばセンサにおいて、多数のループコイルを配設する基板の横方向及び縦方向とされる。
【０００４】
位置指示器の共振回路の共振周波数は、センサからの周波数信号に共振するように選定される。従来、この共振周波数の選定のために、共振回路を構成するコンデンサの少なくとも一部に、その静電容量を調整するための調整子を備えるトリマーコンデンサを用い、その調整子を操作して、所定の共振周波数になるようにトリマーコンデンサの静電容量を調整している。
【０００５】
また、トリマーコンデンサを設ける代わりに、複数個のチップコンデンサを予め設けておき、それらの複数個のチップコンデンサのうち、無効とするチップコンデンサは、回路との接続を切断するようにして、有効とするチップコンデンサの数を選定することで、所定の共振周波数になるように調整する方法も用いられている。
【先行技術文献】
【特許文献】
【０００６】
【特許文献１】特開２００２−２４４８０６号公報
【発明の概要】
【発明が解決しようとする課題】
【０００７】
ところで、電子機器の電子回路の時定数回路や共振回路は、上記のように初期設定をして出荷される。この初期設定においては、上述したようにトリマーコンデンサが従来から使用されている。しかし、近年の携帯電話端末、ＰＤＡ（Personal  Digital  Assistants）端末、タブレット端末などの電子機器等は小型化が進み、その内部の電子回路の占める割合も小さくする必要が生じている。そのような要請がある中で、トリマーコンデンサは大きさが比較的大きく、小型化の障害となっていた。
【０００８】
一方、携帯電話端末やパッド型パソコンなどの小型の携帯機器のユーザインターフェース手段として、上記の電磁誘導方式の座標入力装置の適用が進んでいる。このような小型の電子機器用の座標入力装置と共に使用する位置指示器は、より細いペン形状のものが要求されている。
【０００９】
しかしながら、従来の位置指示器の場合、使用されているトリマーコンデンサは比較的大きく、複数のチップコンデンサを用いる場合も、大きな設置スペースを必要とし、位置指示器を細いペン形状とする際の支障となっていた。
【００１０】
また、トリマーコンデンサは個々に調整することが必要であるため、依然として手間がかかるものとなっていた。
【００１１】
この発明は、以上の問題点を解決した位置指示器を提供することを目的とする。
【課題を解決するための手段】
【００１２】
上記の課題を解決するために、この発明は、
中空の棒状の筒状体を形成する筐体と、
前記筐体の前記中空の部分内に配置され、位置検出センサとの間で授受される信号に関与する回路が配設される基板と、
シート状の誘電体の一方の面に第１の導電体層が形成されると共に、前記一方の面に対向する他方の面に、前記第１の導電体層と前記シート状誘電体を介して対向する第２の導電体層が形成されるフィルム状コンデンサと、
を備え、
前記フィルム状コンデンサを、前記回路の一部を構成するように前記基板に固着して配設すると共に、前記フィルム状コンデンサの前記第１導電体層と前記第２の導電体層とが対向する面積を、前記フィルム状コンデンサの大きさを変えることにより変えることで、前記基板に配設される前記回路の定数を特定するようにした
ことを特徴とする位置指示器を提供する。
【００１３】
上記の構成のこの発明においては、フィルム状コンデンサが回路の一部を構成するように基板に固着される。そして、そのフィルム状コンデンサを、例えば鋏で切断、レーザトリミングでパターンを切除するなどして、大きさを変えることにより、第１導電体層と第２の導電体層とが対向する面積が変えられ、その結果、フィルム状コンデンサの静電容量が変えられて、回路の定数、例えば共振周波数が特定される。
【００１４】
この発明による位置指示器によれば、切断などにより大きさを変えられるフィルム状コンデンサを用いるので、このフィルム状コンデンサを、棒状の筒状体の中空の部分内に収容するように構成することにより、細いペン形状の位置指示器にも容易に対応することができる。
【発明の効果】
【００１５】
この発明によれば、回路の共振周波数などの定数を特定するためのコンデンサは、フィルム状コンデンサを用いたので、切断などによりこのフィルム状コンデンサの大きさを変えることにより、回路の定数を容易に特定することができる。そして、フィルム状コンデンサは、細いペン形状の棒状の筒状体の中空の部分内に収容することが容易であるので、細いペン形状の位置指示器を容易に実現することができる。
【図面の簡単な説明】
【００１６】
【図１】この発明による位置指示器の実施形態の構成例を示す図である。
【図２】この発明による位置指示器の実施形態が用いられる電子機器の例を示す図である。
【図３】この発明による位置指示器の実施形態及び位置検出装置を説明するための回路図である。
【図４】この発明による位置指示器の第１の実施形態に用いられるフィルム状コンデンサの構成例を説明するための図である。
【図５】この発明による位置指示器の第１の実施形態に用いられるプリント配線基板の要部の構成例を説明するための図である。
【図６】この発明による位置指示器の第１の実施形態における要部を説明するための図である。
【図７】この発明による位置指示器の第２の実施形態における要部を説明するための図である。
【図８】この発明による位置指示器の第３の実施形態に用いられるフィルム状コンデンサの構成例を説明するための図である。
【図９】この発明による位置指示器の第３の実施形態における要部を説明するための図である。
【図１０】この発明による位置指示器の第４の実施形態に用いられるフィルム状コンデンサの構成例を説明するための図である。
【図１１】この発明による位置指示器の第４の実施形態における要部を説明するための図である。
【図１２】この発明による位置指示器の第４の実施形態における要部を説明するための図である。
【図１３】この発明による位置指示器の第５の実施形態に用いられるフィルム状コンデンサの構成例を説明するための図である。
【図１４】この発明による位置指示器の第５の実施形態における要部を説明するための図である。
【図１５】この発明による電子回路または位置指示器の他の実施形態に用いられるフィルム状コンデンサの構成例を説明するための図である。
【発明を実施するための形態】
【００１７】
［第１の実施形態］
図１は、この発明による位置指示器の第１の実施形態を説明するための図である。また、図２は、この第１の実施形態の位置指示器１００を用いる電子機器２００の一例を示すもので、この例では、電子機器２００は、例えばＬＣＤ（Liquid  Crystal  Display）などの表示装置の表示画面２００Ｄを備える高機能携帯電話端末であり、表示画面２００Ｄの裏部に、電磁誘導方式の位置検出装置２０２を備えている。
【００１８】
そして、この例の電子機器２００の筐体には、ペン形状の位置指示器１００を収納する収納凹穴２０１を備えている。使用者は、必要に応じて、収納凹穴２０１に収納されている位置指示器１００を、電子機器２００から取り出して、表示画面２００Ｄで位置指示操作を行う。
【００１９】
電子機器２００においては、表示画面２００Ｄ上で、ペン形状の位置指示器１００により位置指示操作がされると、表示画面２００Ｄの裏部に設けられた位置検出装置２０２が、位置指示器１００で操作された位置及び筆圧を検出し、電子機器２００の位置検出装置２０２が備えるマイクロコンピュータが、表示画面２００Ｄでの操作位置及び筆圧に応じた表示処理を施す。
【００２０】
図１（Ａ）は、この実施形態の位置指示器１００の全体の概要を示すものである。また、図１（Ｂ）は、この実施形態の位置指示器１００の縦断面図である。
【００２１】
図１に示すように、位置指示器１００は、軸芯方向に細長であって、一方が閉じられた有底の円筒状の筐体を構成するケース１０１を備える。このケース１０１は、図１（Ｂ）に示すように、例えば樹脂などからなる第１のケース１０２と第２のケース１０３とから構成され、これら第１のケース１０２と第２のケース１０３とが、同心円状に組み合わされる構成とされている。この場合、図１（Ｂ）に示すように、第２のケース１０３が、第１のケース１０２の内側になるようにして両者が組立結合される。
【００２２】
第１のケース１０２の軸方向の一端側がペン形状の位置指示器のペン先側とされており、この第１のケース１０２のペン先側には、突出部材（ペン先部材）１０４を外部に突出させるための貫通孔１０５を備える。
【００２３】
そして、位置指示器１００のケース１０１の第１のケース１０２内のペン先側には、図１（Ｂ）に示すように、突出部材１０４をその一部が貫通孔１０５を通じて突出させる状態で収納させる。そして、この突出部材１０４の突出側とは反対側には、インダクタンス素子の一例としての位置指示コイル１０６が巻回された磁性材料の一例としてのフェライトコア１０７が配設される。フェライトコア１０７は、円柱状形状を備える。
【００２４】
そして、第１のケース１０２内の、位置指示コイル１０６が巻回されたフェライトコア１０７のペン先側とは反対側には、第１のケース１０２の内径よりも狭い幅を有し、細長の矩形形状のプリント配線基板１０８が配設される。位置指示コイル１０６の一端及び他端は、このプリント配線基板１０８に形成されている導電パターン１０９，１１０に、例えば半田付けされる。
【００２５】
このプリント配線基板１０８には、押下されたときにオンとなり、押下を停止するとオフに戻るプッシュスイッチ１１１が設けられると共に、位置指示コイル１０６と共振回路を構成するコンデンサ１１２，１１３及びフィルム状コンデンサ１１４が設けられる。更に、プリント配線基板１０８には、図示を省略する導体パターンが形成され、コンデンサ１１２及びフィルム状コンデンサ１１４が位置指示コイル１０６に並列に接続されると共に、コンデンサ１１３とプッシュスイッチ１１１とが直列に接続され、そのコンデンサ１１３とプッシュスイッチ１１１との直列回路が、位置指示コイル１０６に並列に接続される。
【００２６】
そして、この例では、位置指示器１００のケース１０１（第１のケース１０２）の側周面の、プッシュスイッチ１１１に対応する位置には貫通孔１１５が穿かれており、押下操作子１１６が、この貫通孔１１５を通じて当該プッシュスイッチ１１１を押下することができるようにケース１０１に対して取り付けられている。この場合、押下操作子１１６によるプッシュスイッチ１１１の押下操作に対しては、位置検出装置２０２を備える電子機器２００側で所定の機能が割り当て設定される。例えば、この例の電子機器２００においては、押下操作子１１６によるプッシュスイッチ１１１の押下操作は、マウスなどのポインティングデバイスにおけるクリック操作と同様の操作として割り当て設定される。
【００２７】
共振回路の一部を構成するコンデンサ１１２，１１３は、この例ではチップ部品としてプリント配線基板１０８に配設される。また、共振回路の一部を構成するフィルム状コンデンサ１１４は、後述するような構成のシート状のコンデンサであり、後述するようにしてプリント配線基板１０８に配設される。そして、この実施形態では、後述するように、このフィルム状コンデンサ１１４の大きさ、この例では、長手方向の長さが変えられることで、その静電容量が調整されて、共振回路の共振周波数が調整される。
【００２８】
なお、プリント配線基板１０８は、第１のケース１０２の内壁面により保持されるように構成されている。そして、第１のケース１０２内において、プリント配線基板１０８のペン先側とは反対側は、中空空間１１７とされ、後述するように、フィルム状コンデンサ１１４は、その大部分がその中空空間１１７に位置するように構成されている。
【００２９】
［電子機器２００における位置検出のための回路構成］
次に、上述の実施形態の位置指示器１００を用いて指示位置の検出および筆圧の検出を行う電子機器２００の位置検出装置２０２における回路構成例について、図３を参照して説明する。図３は、位置指示器１００及び電子機器２００が備える位置検出装置２０２の回路構成例を示すブロック図である。
【００３０】
位置指示器１００は、前述したように共振回路１１８を備える。この共振回路１１８は、図３に示すように、インダクタンス素子としての位置指示コイル１０６と、チップ部品により構成されるコンデンサ１１２と、フィルム状コンデンサ１１４とが互いに並列に接続されると共に、プッシュスイッチ１１１とチップ部品からなるコンデンサ１１３との直列回路が、さらに並列に接続されて構成される。
【００３１】
この場合、プッシュスイッチ１１１のオン・オフに応じて、コンデンサ１１３の、並列共振回路１１８への接続が制御され、共振周波数が変化する。位置検出装置２０２では、後述するように、位置指示器１００からの信号の位相変化を検出することより周波数変化を検出して、プッシュスイッチ１１１が押されたか否かを検出するようにする。
【００３２】
電子機器２００の位置検出装置２０２には、Ｘ軸方向ループコイル群２１１Ｘと、Ｙ軸方向ループコイル群２１２Ｙとが積層されて位置検出コイルが形成されている。各ループコイル群２１１Ｘ，２１２Ｙは、例えば、それぞれｎ，ｍ本の矩形のループコイルからなっている。各ループコイル群２１１Ｘ，２１２Ｙを構成する各ループコイルは、等間隔に並んで順次重なり合うように配置されている。
【００３３】
また、位置検出装置２０２には、Ｘ軸方向ループコイル群２１１Ｘ及びＹ軸方向ループコイル群２１２Ｙが接続される選択回路２１３が設けられている。この選択回路２１３は、２つのループコイル群２１１Ｘ，２１２Ｙのうちの一のループコイルを順次選択する。
【００３４】
さらに、位置検出装置２０２には、発振器２２１と、電流ドライバ２２２と、切り替え接続回路２２３と、受信アンプ２２４と、検波器２２５と、低域フィルタ２２６と、サンプルホールド回路２２７と、Ａ／Ｄ変換回路２２８と、同期検波器２２９と、低域フィルタ２３０と、サンプルホールド回路２３１と、Ａ／Ｄ変換回路２３２と、処理制御部２３３とが設けられている。処理制御部２３３は、マイクロコンピュータにより構成されている。
【００３５】
発振器２２１は、周波数ｆ０の交流信号を発生する。そして、発振器２２１は、発生した交流信号を、電流ドライバ２２２と同期検波器２２９に供給する。電流ドライバ２２２は、発振器２２１から供給された交流信号を電流に変換して切り替え接続回路２２３へ送出する。切り替え接続回路２２３は、処理制御部２３３からの制御により、選択回路２１３によって選択されたループコイルが接続される接続先（送信側端子Ｔ、受信側端子Ｒ）を切り替える。この接続先のうち、送信側端子Ｔには電流ドライバ２２２が、受信側端子Ｒには受信アンプ２２４が、それぞれ接続されている。
【００３６】
選択回路２１３により選択されたループコイルに発生する誘導電圧は、選択回路２１３及び切り替え接続回路２２３を介して受信アンプ２２４に送られる。受信アンプ２２４は、ループコイルから供給された誘導電圧を増幅し、検波器２２５及び同期検波器２２９へ送出する。
【００３７】
検波器２２５は、ループコイルに発生した誘導電圧、すなわち受信信号を検波し、低域フィルタ２２６へ送出する。低域フィルタ２２６は、前述した周波数ｆ０より充分低い遮断周波数を有しており、検波器２２５の出力信号を直流信号に変換してサンプルホールド回路２２７へ送出する。サンプルホールド回路２２７は、低域フィルタ２２６の出力信号の所定のタイミング、具体的には受信期間中の所定のタイミングにおける電圧値を保持し、Ａ／Ｄ（Analog to Digital）変換回路２２８へ送出する。Ａ／Ｄ変換回路２２８は、サンプルホールド回路２２７のアナログ出力をディジタル信号に変換し、処理制御部２３３に出力する。
【００３８】
一方、同期検波器２２９は、受信アンプ２２４の出力信号を発振器２２１からの交流信号で同期検波し、それらの間の位相差に応じたレベルの信号を低域フィルタ２３０に送出する。この低域フィルタ２３０は、周波数ｆ０より充分低い遮断周波数を有しており、同期検波器２２９の出力信号を直流信号に変換してサンプルホールド回路２３１に送出する。このサンプルホールド回路２３１は、低域フィルタ２３０の出力信号の所定のタイミングにおける電圧値を保持し、Ａ／Ｄ（Analog to Digital）変換回路２３２へ送出する。Ａ／Ｄ変換回路２３２は、サンプルホールド回路２３１のアナログ出力をディジタル信号に変換し、処理制御部２３３に出力する。
【００３９】
処理制御部２３３は、位置検出装置２０２の各部を制御する。すなわち、処理制御部２３３は、選択回路２１３におけるループコイルの選択、切り替え接続回路２２３の切り替え、サンプルホールド回路２２７、２３１のタイミングを制御する。処理制御部２３３は、Ａ／Ｄ変換回路２２８、２３２からの入力信号に基づき、Ｘ軸方向ループコイル群２１１及びＹ軸方向ループコイル群２１２から一定の送信継続時間をもって電波を送信させる。
【００４０】
Ｘ軸方向ループコイル群２１１及びＹ軸方向ループコイル群２１２の各ループコイルには、位置指示器１００から送信される電波によって誘導電圧が発生する。処理制御部２３３は、この各ループコイルに発生した誘導電圧の電圧値のレベルに基づいて位置指示器１００のＸ軸方向及びＹ軸方向の指示位置の座標値を算出する。また、処理制御部２３３は、送信した電波と受信した電波との位相差に応じた信号のレベルに基づいて、プッシュスイッチ１１１が押下されたか否かを検出する。
【００４１】
このようにして、位置検出装置２０２では、接近した位置指示器１００の位置を処理制御部２３３で検出することができる。しかも、受信した信号の位相（周波数偏移）を検出することにより、位置指示器１００で押下操作部１１６が押下されたか否かを検出することができる。
【００４２】
［フィルム状コンデンサ１１４の構成例：図４］
図４は、第１の実施形態の位置指示器１００で用いられるフィルム状コンデンサ１１４の構成例を示す図であり、図４（Ａ）は、その外観構成図、図４（Ｂ）は、図４（Ａ）におけるＡ−Ａ線断面の拡大図である。
【００４３】
フィルム状コンデンサ１１４は、厚さｔ１が、例えば１２〜２５μｍ（ミクロン）の矩形のシート状の誘電体１０（以下、誘電体シート１０という）の一方の面１０ａ側及び他方の面１０ｂ側に、導電体層１１及び１２が、互いに対向するように形成されたものである。導電体層１１及び１２は、誘電体シート１０を介して互いに対向するものであり、フィルム状コンデンサ１１４の一方及び他方の電極を構成する。この例では、フィルム状コンデンサ１１４を構成する誘電体シート１０は、幅Ｗ１が例えば２〜３ｍｍで、長手方向の長さＬが例えば１５ｍｍとされた帯状に構成されている。
【００４４】
誘電体シート１０は、例えばポリエステル、ポリアミド、ポリイミドなどの誘電体材料で構成される。後述の実施形態における誘電体シートも同様に構成される。また、導電体層１１及び１２は、例えばアルミニウムやニッケルクロムからなる導電体材料が、誘電体シート１０に蒸着されて形成される。この導電体層１１及び１２の厚さｔ２及びｔ３は、例えば約１０００Åとされる。後述の実施形態における導電体層も同様の厚さで形成される。
【００４５】
この例においては、誘電体シート１０の一方の面１０ａ側に形成されている導電体層１１は、誘電体シート１０の端縁よりも距離ｄ１以上、内側に形成される。一方、この例では、誘電体シート１０の他方の面１０ｂ側には、その端縁にまで渡る全面に導電体層１２が形成されている。
【００４６】
上記のように導電体層１１を誘電体シート１０の端縁にまで渡って形成しないようにしたのは、湿度により、フィルム状コンデンサ１１４の静電容量が変化してしまわないようにするためである。すなわち、導電体層１１及び１２の両方とも、誘電体シート１０の端縁にまで渡って形成した場合、図４（Ｂ）の断面図において、模式的に示したように、誘電体シート１０の厚み方向の端面１０ｃに、湿度のために水滴１３が付着したとき、その水滴１３を通じて導電体層１１と導電体層１２とが接続されてしまう恐れがある。水の誘電率は、空気の誘電率の８０倍以上であるので、このように湿度により水滴１３が付着した場合と、水滴１３が付着していない場合とで、フィルム状コンデンサ１１４の静電容量が大きく変化してしまう。
【００４７】
これに対して、導電体層１１が、距離ｄ１だけ、誘電体シート１０の端縁から内側に形成するようにした場合には、水滴１３が付着しても、導電体層１１と導電体層１２とは水滴１３を介して接続されることはなくなるので、湿度によるフィルム状コンデンサ１１４の静電容量の変化を抑えることができる。なお、距離ｄ１は、例えば０．２ｍｍ以上であることが好ましい。
【００４８】
なお、上述のような湿度対策のためには、誘電体シート１０の一方の面１０ａまたは他方の面１０ｂの少なくとも一方側の導電体層を、誘電体シート１０の端縁から距離ｄ１以上、内側に形成するようにすればよい。もっとも、誘電体シート１０の一方の面１０ａ及び他方の面１０ｂの両方の導電体層１１及び導電体層１２を、誘電体シート１０の端縁から距離ｄ１以上、内側に形成するようにすれば、静電容量の湿度による変化をより少なくすることができる。
【００４９】
［フィルム状コンデンサ１１４のプリント配線基板１０８への固着例：図５、図６］
図５は、プリント配線基板１０８の、フィルム状コンデンサ１１４を取り付ける部分の構成例を説明するための図である。この例においては、プリント配線基板１０８は、例えば幅Ｗ２が、例えば２〜３ｍｍの細長の矩形の基板とされている。そして、フィルム状コンデンサ１１４は、図１に示したように、このプリント配線基板１０８の、ペン先側とは反対側の端部１０８ｅに固着される。図５（Ａ），（Ｂ）は、このプリント配線基板１０８の端部１０８ｅにおける導体パターンの構成例を示すものである。
【００５０】
すなわち、プリント配線基板１０８の端部１０８ｅの一方の面（表面）１０８ｓには、図５（Ａ）に示すように、矩形のランドパターン２１と、このランドパターン２１に連続的に接続されている導体パターン２２が形成されると共に、スルーホール２３と、このスルーホール２３に接続されている導体パターン２４が形成されている。また、プリント配線基板１０８の端部１０８ｅの他方の面（裏面）１０８ｒには、図５（Ｂ）に示すように、ランドパターン２１と対向する位置に設けられた矩形のランドパターン２５と、このランドパターン２５とスルーホール２３とを接続するための導体パターン２６とが形成されている。
【００５１】
プリント配線基板１０８の表面１０８ｓ側のランドパターン２１は、導体パターン２２を通じて、位置指示コイル１０６の一端が接続されている導体パターン１０９に電気的に接続される。また、プリント配線基板１０８の裏面１０８ｒ側のランドパターン２５は、導体パターン２６−スルーホール２３−導体パターン２４を通じて、位置指示コイル１０６の他端が接続されている導体パターン１１０に電気的に接続されている。
【００５２】
そして、この例では、図６に示すように、プリント配線基板１０８の端部１０８ｅの表面１０８ｓ側に、フィルム状コンデンサ１１４の長手方向の一端側が、導電性材料、例えば導電性金属からなる圧着クリップ３１により固着されて取り付けられる。すなわち、図６（Ａ）のＢ−Ｂ断面の拡大図である図６（Ｂ）に示すように、フィルム状コンデンサ１１４の一端側とプリント配線基板１０８とが、圧着クリップ３１により圧着挟持される。このとき、図６に示すように、フィルム状コンデンサ１１４の長手方向の他端側は、何処にも接続されていない遊端となる。なお、フィルム状コンデンサ１１４の長手方向の一端部とプリント配線基板１０８との間は、導電性接着材により更に接着しておくようにしても良い。
【００５３】
そして、この例の場合、図６（Ａ），（Ｂ）に示すように、フィルム状コンデンサ１１４は、誘電体シート１０の他方の面１０ｂ側の導電体層１２が、プリント配線基板１０８の表面１０８ｓ側のランドパターン２１と当接して、電気的に接続される。また、フィルム状コンデンサ１１４の誘電体シート１０の一方の面１０ａ側の導電体層１１は、導電性金属からなる圧着クリップ３１を通じて、プリント配線基板１０８の裏面１０８ｒ側のランドパターン２５と電気的に接続される。
【００５４】
したがって、フィルム状コンデンサ１１４の一方の電極及び他方の電極である導電体層１１及び１２が、位置指示コイル１０６の一方及び他方の端部に接続されて、フィルム状コンデンサ１１４が、位置指示コイル１０６に並列に接続される。
【００５５】
そして、以上のようにして、プリント配線基板１０８の端部１０８ｅに、フィルム状コンデンサ１１４を固着した後、フィルム状コンデンサ１１４の遊端である長手方向の他端側を、例えば鋏などにより図６（Ｂ）で点線の切り取り線１４ａ、１４ｂで示すように、長手方向に直交する方向に切断することにより、導電体層１１と導電体層１２の対向する面積を変えて、フィルム状コンデンサ１１４の静電容量を可変させ、これにより、共振回路１１８の共振周波数が所望の周波数となるように調整するようにする。
【００５６】
この場合、フィルム状コンデンサ１１４を切断することにより、その切断部においては、導電体層１１は、誘電体シート１０の端縁と同一位置となる。このため、前述した水滴が付着したときの静電容量の変動の問題が生じるが、フィルム状コンデンサ１１４の切断面は、この例では、短辺方向であるので、前述したように２ｍｍ程度で短く、その影響は小さい。
【００５７】
上述した第１の実施形態によれば、共振回路の共振周波数の調整用のコンデンサとしてフィルム状コンデンサ１１４を用い、プリント配線基板１０８に固着したこのフィルム状コンデンサ１１４を切断することにより大きさを変えて、導電体層１１と導電体層１２の対向面積を変えることにより、前記共振周波数の調整ができる。したがって、従来のようなトリマーコンデンサや複数個のコンデンサをプリント配線基板に設ける必要がなく、且つ、フィルム状コンデンサは、位置指示器１００のケース１０１内の中空部に収納することができる大きさにすることができるので、細いペン形状の位置指示器１００を実現することが容易になる。
【００５８】
また、上述した第１の実施形態では、導電性材料からなる圧着クリップ３１により、プリント配線基板１１４にフィルム状コンデンサを固着するようにするので、半田付けをする必要がなく、このため、フィルム状コンデンサ１１４の誘電体シート１０として、熱に弱い材料を用いることができる。
【００５９】
［第２の実施形態：図７］
この第２の実施形態は、圧着クリップを用いずに、フィルム状コンデンサをプリント配線基板に固着する例である。この第２の実施形態では、第１の実施形態で説明したフィルム状コンデンサ１１４をそのまま使用することができる。ただし、この第２の実施形態では、誘電体シート１０は、熱に強い例えばポリイミドにより構成される。その他は、上述した第１の実施形態のフィルム状コンデンサ１１４と全く同様の構成を有する。
【００６０】
図７は、この第２の実施形態におけるフィルム状コンデンサ１１４のプリント配線基板への固着例を示す図である。この第２の実施形態のプリント配線基板１０８Ａは、上述した第１の実施形態のプリント配線基板１０８と、その端部１０８ｅの導体パターンの構成を除き、全く同様の構成を備える。そして、この第２の実施形態の位置指示器は、フィルム状コンデンサ１１４をプリント配線基板１０８Ａに固着する部分の構成が異なるのみで、その他は、第１の実施形態の位置指示器１００と全く同様の構成とされる。そこで、この第２の実施形態の説明において、第１の実施形態の位置指示器１００と同一部分については、第１の実施形態と同一の参照符号を用いるものとする。
【００６１】
図７（Ａ）は、プリント配線基板１０８Ａの端部１０８ｅにフィルム状コンデンサ１１４が取り付けられた状態を示す斜視図であり、図７（Ｂ）は、図７（Ａ）のＣ−Ｃ断面図である。
【００６２】
この第２の実施形態のプリント配線基板１０８Ａの端部１０８ｅにおいては、図７（Ｂ）に示すように、その表面１０８ｓ側にのみランドパターン２１及び導体パターン２２、２４が形成され、第１の実施形態の場合のスルーホール２３や裏面１０８ｒ側のランドパターン２５及び導体パターン２６は形成されない。
【００６３】
そして、図７（Ａ），（Ｂ）に示すように、フィルム状コンデンサ１１４は、その一端部において、図示を省略した導電性接着材により、プリント配線基板１０８Ａの端部１０８ｅに接着される。この場合、第１の実施形態と同様に、フィルム状コンデンサ１１４の誘電体シート１０の他方の面１０ｂ側に形成されている導電体層１２が、プリント配線基板１０８Ａの表面１０８ｓに形成されているランドパターン２１と接触して電気的に接続される状態となる。したがって、フィルム状コンデンサ１１４の導電体層１２は、ランドパターン２１に連続的に接続されている導体パターン２２を通じて、位置指示コイル１０６の一方の端部と接続される。
【００６４】
そして、この第２の実施形態においては、プリント配線基板１０８Ａの表面１０８ｓに形成されていて、位置指示コイル１０６の他方の端部と接続されている導体パターン２４は、金線３２により、フィルム状コンデンサ１１４の誘電体シート１０の一方の面１０ａ側に形成されている導電体層１１とワイヤボンディングされて電気的に接続される。なお、図７（Ａ）、（Ｂ）に示すように、金線３２は、半田３３により導体パターン２４と接続され、半田３４によりフィルム状コンデンサ１１４の導電体層１１と接続されている。
【００６５】
この第２の実施形態においても、第１の実施形態と同様に、プリント配線基板１０８Ａに固着されたフィルム状コンデンサ１１４の遊端側を、例えば鋏などにより図７（Ａ）で点線の切り取り線１４ａ、１４ｂで示すように切断することにより、導電体層１１と導電体層１２の対向する面積を変えて、共振回路１１８の共振周波数が所望の周波数となるように調整する。
【００６６】
この第２の実施形態によれば、フィルム状コンデンサ１１４とプリント配線基板１０８Ａとの接続は、プリント配線基板１０８Ａの表面１０８ｓ側でのみ行うことができ、接続及び固着作業が容易である。
【００６７】
［第３の実施形態：図８、図９］
第３の実施形態は、上述した第１の実施形態におけるプリント配線基板１０８の端部１０８ｅと、フィルム状コンデンサ１１４の構成とが異なるのみで、その他は、第１の実施形態と全く同様である。この第３の実施形態において、上述した第１の実施形態と同一部分については同一の参照符号を用いて説明することとする。
【００６８】
図８（Ａ），（Ｂ）は、第３の実施形態の位置指示器におけるプリント配線基板１０８Ｂの端部１０８ｅの構成例を示すものである。また、図８（Ｃ），（Ｄ）は、第３の実施形態におけるフィルム状コンデンサ１１４Ｂの構成例を示すものである。更に、図９（Ａ）は、第３の実施形態におけるプリント配線基板１０８Ｂに対して、フィルム状コンデンサ１１４Ｂを取り付ける方法の一例を説明するための図であり、図９（Ｂ）は、図９（Ａ）の縦断面図に対応する。
【００６９】
この第３の実施形態のプリント配線基板１０８Ｂは、図８（Ａ），（Ｂ）に示すように、第１の実施形態と同様に、表面１０８ｓ側には、ランドパターン２１と、このランドパターン２１と連続的に接続され、位置指示コイル１０６の一方の端部に接続されている導体パターン２２と、スルーホール２３に接続されていると共に、位置指示コイル１０６の他方の端部に接続されている導体パターン２４が形成されている。
【００７０】
そして、このプリント配線基板１０８Ｂの端部１０８ｅには、ランドパターン２１とスルーホール２３との間において、プリント配線基板１０８Ｂの幅方向（短辺方向）に、所定の長さの切れ込み溝２７が形成される。
【００７１】
更に、このプリント配線基板１０８Ｂの裏面１０８ｒ側には、スルーホール２３に接続されているランドパターン２８が形成されている。このランドパターン２８は、第１の実施形態のランドパターン２５とは異なり、ランドパターン２１と対向する位置ではなく、切り込み溝２７よりもペン先側の位置に形成される。
【００７２】
一方、この第３の実施形態におけるフィルム状コンデンサ１１４Ｂは、図８（Ｃ），（Ｄ）に示すように、第１の実施形態と同様に、誘電体シート１０の一方の面１０ａ側に導電体層１１が形成されていると共に、誘電体シート１０の他方の面１０ｂ側に導電体層１２が形成されている。ただし、この第３の実施形態におけるフィルム状コンデンサ１１４Ｂの、プリント配線基板１０８Ｂの端部１０８ｅと接続する一端側には、当該フィルム状コンデンサ１１４Ｂの幅方向（短辺方向）に、所定の長さの切れ込み溝１５が形成される。
【００７３】
そして、第３の実施形態においては、図９に示すように、プリント配線基板１０８Ｂの切れ込み溝２７に、フィルム状コンデンサ１１４Ｂの切れ込み溝１５を係合させて、プリント配線基板１０８Ｂに対してフィルム状コンデンサ１１４Ｂを交差させるように組み合わせる。
【００７４】
そして、図９（Ｂ）に示すように、プリント配線基板１０８Ｂの表面１０８ｓの切り込み溝２７よりも端部１０８ｅの先端側のランドパターン２１の上と、プリント配線基板１０８Ｂの裏面１０８ｒの切り込み溝２７よりもペン先側のランドパターン２８の上とに導電性接着材３５，３６をそれぞれ塗布すると共に、フィルム状コンデンサ１１４ＢをＳ字状に折り曲げて、それぞれ導電性接着材３５，３６によりフィルム状コンデンサ１１４Ｂをプリント配線基板１０８Ｂに対して接着固定する。
【００７５】
図９の例の場合、フィルム状コンデンサ１１４Ｂの切り込み溝１５よりも一端側は、誘電体シート１０の一方の面１０ａ側に形成された導電体層１１がプリント配線基板１０８Ｂのランドパターン２８と導電性接着材３６により接着されて電気的に接続される。また、フィルム状コンデンサ１１４Ｂの切り込み溝１５よりも他端（遊端）側は、誘電体シート１０の他方の面１０ｂ側に形成された導電体層１２が、プリント配線基板１０８Ｂのランドパターン２１と導電性接着材３５により接着されて電気的に接続される。
【００７６】
したがって、この第３の実施形態においても、フィルム状コンデンサ１１４Ｂは、位置指示コイル１０６と並列に接続されることになる。そして、この第３の実施形態においても、フィルム状コンデンサ１１４Ｂの遊端側を、例えば鋏などにより図９（Ａ）で点線の切り取り線１４ａ、１４ｂで示すように、長手方向に直交する方向に切断することにより、フィルム状コンデンサ１１４の静電容量を可変させ、これにより、共振回路１１８の共振周波数が所望の周波数となるように調整することができる。
【００７７】
［第４の実施形態：図１０〜図１２］
上述の第１〜第３の実施形態では、位置指示器１００の共振回路１１８において、プッシュスイッチ１１１がオフであるときの共振周波数の調整を、フィルム状コンデンサ１１４を用いて行うようにした。
【００７８】
しかし、プッシュスイッチ１１１がオンとなったときの共振回路１１８の共振周波数も、調整が必要である。この第４の実施形態は、プッシュスイッチ１１１と直列に接続されるコンデンサ１１３も、フィルム状コンデンサで構成するようにして、プッシュスイッチ１１１がオフであるときの共振回路１１８の共振周波数のみならず、プッシュスイッチ１１１がオンとなったときの共振回路１１８の共振周波数をも独立して調整することができるようにする場合である。
【００７９】
この第４の実施形態は、上述した第１の実施形態におけるプリント配線基板１０８の端部１０８ｅの構成と、フィルム状コンデンサの構成とが異なるのみで、その他は、第１の実施形態と全く同様である。この第４の実施形態において、上述した第１の実施形態と同一部分には、同一の参照符号を用いて説明することとする。
【００８０】
図１０（Ａ），（Ｂ）は、第４の実施形態におけるフィルム状コンデンサ３００の構成例を示すものである。また、図１１（Ａ），（Ｂ）は、第４の実施形態におけるプリント配線基板１０８Ｃの端部１０８ｅの構成例を示すものである。また、図１２（Ａ）〜（Ｃ）は、第４の実施形態におけるプリント配線基板１０８Ｃに対して、フィルム状コンデンサ３００を取り付ける方法を説明するための図である。
【００８１】
第４の実施形態におけるフィルム状コンデンサ３００は、図１０（Ａ）及び（Ｂ）に示すように、矩形の細長の誘電体シート３１０の長手方向のほぼ中央位置に、誘電体シート３１０の幅方向に所定の長さを有する切れ込み溝３１１を有する。
【００８２】
そして、誘電体シート３１０の一方の面３１０ａ側には、図１０（Ａ）に示すように、誘電体シート３１０の長手方向において、切れ込み溝３１１の部分の両側に、電気的に非接続状態とされて互いに独立となる第１の導電体層３１２及び第２の導電体層３１３が形成される。第１及び第２の導電体層３１２及び３１３は、第１の実施形態で説明したように、湿度対策のために、誘電体シート３１０の端縁から前述した距離ｄ１以上内側の領域に形成されている。また、誘電体シート３１０の他方の面３１０ｂには、その全面に渡って第３の導電体層３１４が形成されている。
【００８３】
誘電体シート３１０及び導電体層３１２〜３１４は、第１の実施形態における誘電体シート１０及び導電体層１１，１２と同様に構成される。
【００８４】
以上の構成により、フィルム状コンデンサ３００においては、導電体層３１２と導電体層３１４とが誘電体シート３１０を挟んで対向することにより、第１のコンデンサを構成し、導電体層３１３と導電体層３１４とが誘電体シート３１０を挟んで対向することにより、第２のコンデンサを構成する。この例においては、第１のコンデンサは、図３の共振回路１１８におけるコンデンサ１１４を構成し、第２のコンデンサは、図３の共振回路１１８におけるコンデンサ１１３を構成する。
【００８５】
そして、第４の実施形態のプリント配線基板１０８Ｃの表面１０８ｓ側には、図１１（Ａ）に示すように、ランドパターン４１と、このランドパターン４１と連続的に接続されている導体パターン４２と、スルーホール４３と、このスルーホール４３に接続されている導体パターン４４が形成されている。導電パターン４２は、プッシュスイッチ１１１の、コンデンサ１１３と接続されている一方の端部に接続されている。また、導体パターン４４は、位置指示コイル１０６の一方の端部に接続されていると共に、プッシュスイッチ１１１の他方の端部に接続されている。
【００８６】
そして、このプリント配線基板１０８Ｃの端部１０８ｅには、ランドパターン４１とスルーホール４３との間において、プリント配線基板１０８Ｃの幅方向（短辺方向）に、所定の長さの切れ込み溝４５が形成される。そして、この切れ込み溝４５の部分から導体パターン４６が形成されている。この導体パターン４６は、位置指示コイル１０６の他方の端部に接続されている。
【００８７】
また、第４の実施形態のプリント配線基板１０８Ｃの裏面１０８ｒ側には、図１１（Ｂ）に示すように、ランドパターン４７が形成されていると共に、このランドパターン４７とスルーホール４３とを接続する導体パターン４８が形成されている。ランドパターン４７は、プリント配線基板１０８Ｃの表面１０８ｓ側のランドパターン４１と対向する位置に形成される。
【００８８】
そして、この第４の実施形態では、図１２（Ａ）に示すように、プリント配線基板１０８Ｃの切れ込み溝４５に、フィルム状コンデンサ３００の切れ込み溝３１１を係合させて、プリント配線基板１０８Ｃに対してフィルム状コンデンサ３００を交差させるように組み合わせる。この場合に、切り込み溝３１１を折り曲げ中心として、フィルム状コンデンサ３００を、プリント配線基板１０８Ｃの端部１０８ｅ側にＵ字状に折り曲げたとき、図１２（Ａ）に示すように、導電体層３１２と、導電体層３１３とが対面するように、組み合わせられる。
【００８９】
そして、図１２（Ｂ）及び（Ｃ）に示すように、切り込み溝３１１を折り曲げ中心として、フィルム状コンデンサ３００をプリント配線基板１０８Ｃの端部１０８ｅ側にＵ字状に折り曲げ、導電体層３１２を、プリント配線基板１０８Ｃの裏面１０８ｒ側のランドパターン４７に接触させ、また、導電体層３１３を、プリント配線基板１０８Ｃの表面１０８ｓ側のランドパターン４１に接触させるようにする。
【００９０】
そして、導電体層３１２を、プリント配線基板１０８Ｃの裏面１０８ｒ側のランドパターン４７に接触させると共に、導電体層３１３を、プリント配線基板１０８Ｃの表面１０８ｓ側のランドパターン４１に接触させた状態を保持するように、プリント配線基板１０８Ｃを挟んだフィルム状コンデンサ３００の部分を、導電性材料、例えば導電性金属からなる圧着クリップ５０により、圧着挟持保持するようにする。さらに、この導電性金属からなる圧着クリップ５０と、導体パターン４６との間を電気的に接続するように半田４８により半田付けする。
【００９１】
この場合に、予め、導電体層３１２を、プリント配線基板１０８Ｃの裏面１０８ｒ側のランドパターン４７に導電性接着材により接着すると共に、導電体層３１３を、プリント配線基板１０８Ｃの表面１０８ｓ側のランドパターン４１に導電性接着材により接着しておくようにしても良い。
【００９２】
このように、プリント配線基板１０８Ｃにフィルム状コンデンサ３００を取り付けたことにより、導電体層３１２と導電体層３１４とで形成される第１のコンデンサは、位置指示コイル１０６と並列に接続され、また、導電体層３１３と導電体層３１４とで形成される第２のコンデンサは、プッシュスイッチ１１１と直列に接続されると共に、その直列接続が、位置指示コイル１０６と並列に接続される。
【００９３】
そして、図１２に示すように、フィルム状コンデンサ３００は、プリント配線基板１０８Ｃに取り付けられた状態では、導電体層３１２が形成されている長手方向の半分の領域及び導電体層３１３が形成されている長手方向の半分の領域の、それぞれ切り込み溝３１１とは反対側の端部が遊端となる。
【００９４】
したがって、誘電体シート３１０を挟む導電体層３１２と導電体層３１４とで構成される第１のコンデンサは、遊端となっている部分が、図１２（Ａ）において、点線切り取り線１６ａ、１６ｂで示すように、長手方向に直交する方向に切断することにより、静電容量を可変させることができる。したがって、これにより、プッシュスイッチ１１１がオフ時の共振回路１１８の共振周波数が所望の周波数となるように調整することができる。
【００９５】
また、誘電体シート３１０を挟む導電体層３１３と導電体層３１４とで構成される第２のコンデンサは、遊端となっている部分が、図１２（Ａ）において、点線切り取り線１７ａ、１７ｂで示すように、長手方向に直交する方向に切断することにより、静電容量を可変させることができる。したがって、これにより、プッシュスイッチ１１１がオン時の共振回路１１８の共振周波数が所望の周波数となるように調整することができる。
【００９６】
なお、上述の第４の実施形態のフィルム状コンデンサ３００においては、誘電体シート３１０の他方の面３１０ｂの導電体層３１４は、当該他方の面３１０ｂの全体に渡って設けるようにしたが、導電体層３１２，３１３のそれぞれと対向する導電体層に分離するようにしても良い。
【００９７】
［第５の実施形態：図１３，図１４］
第５の実施形態も、第４の実施形態と同様に、フィルム状コンデンサによって、プッシュスイッチ１１１がオフであるときと、オンであるときの両方の場合において、共振回路１１８の共振周波数を調整することができる場合である。
【００９８】
ただし、第４の実施形態では、フィルム状コンデンサ３００及びプリント配線基板１０８Ｂに、切り込み溝３１１及び切り込み溝４５を形成するようにしたが、以下に説明する第５の実施形態は、そのような切り込み溝３１１，４５を形成する必要がない例である。また、第４の実施形態では、フィルム状コンデンサをプリント配線基板に配設する際に、圧着クリップを用いるようにしたが、第５の実施形態は、フィルム状コンデンサをプリント配線基板に半田付けするだけで配設することができて、圧着クリップを用いる必要がない例である。
【００９９】
図１３（Ａ），（Ｂ），（Ｃ）は、第５の実施形態におけるフィルム状コンデンサ３００Ｂの構成例を示すものである。図１３（Ａ）は、この第５の実施形態におけるフィルム状コンデンサ３００Ｂの矩形の細長の誘電体シート３１０Ｂの一方の面３１０Ｂａ側を示し、図１３（Ｂ）は、矩形の細長の誘電体シート３１０Ｂの一方の面３１０Ｂａとは反対側の面３１０Ｂｂ側を示している。そして、図１３（Ｃ）は、この第５の実施形態におけるフィルム状コンデンサ３００Ｂの厚さ方向を拡大して示した模式的な側面図である。
【０１００】
この第５の実施形態のフィルム状コンデンサ３００Ｂの誘電体シート３１０Ｂは、厚さが例えば１２〜２５μｍ、幅が例えば２〜３ｍｍで、長手方向の長さＬが例えば３５ｍｍとされた帯状に構成されている。
【０１０１】
図１３（Ａ）に示すように、この第５の実施形態におけるフィルム状コンデンサ３００Ｂにおいては、矩形の細長の誘電体シート３１０Ｂの一方の面３１０Ｂａ側には、その長手方向に、第１の導電体層３２１と、第２の導電体層３２２とが、空き区間３２３を間に挟んで形成されている。
【０１０２】
この例では、第１の導電体層３２１の長手方向の長さＬ１は、例えば１５ｍｍとされ、また、第２の導電体層３２２の長手方向の長さＬ２も、例えば１５ｍｍとされている。そして、空き区間３２３の長手方向の長さは、５ｍｍとされている。
【０１０３】
空き区間３２３には、この例では、互いに電気的に非接続とされた３個のスルーホール３２４，３２５，３２６が形成されている。この例では、これらスルーホール３２４，３２５，３２６は、長手方向に対して交差する斜め方向に一列に形成されている。すなわち、スルーホール３２５は、誘電体シート３１０Ｂの幅方向の中央に形成され、スルーホール３２４は、誘電体シート３１０Ｂの幅方向の一端側に、スルーホール３２６は、誘電体シート３１０Ｂの幅方向の他端側に、それぞれ形成されている。そして、これらスルーホール３２４，３２５，３２６は、それぞれをプリント配線基板に対して半田付けしたときにも、互いに電気的に非接続となるような間隔を空けて配置されている。
【０１０４】
空き区間３２３は、誘電体シート３００Ｂの一方の面３１０Ｂａ側において第１の導電体層３２１及び第２の導電体層３２２が形成されない区間である。ただし、この例では、図１３（Ａ）及び（Ｃ）に示すように、第１の導電体層３２１は、３個のスルーホール３２４，３２５，３２６のうちの、この第１の導電体層３２１に最も近い位置のスルーホール３２４に電気的に接続されるように、第１の導電体層３２１から細い導体層が当該スルーホール３２４まで延長されている。
【０１０５】
また、第２の導電体層３２２は、３個のスルーホール３２４，３２５，３２６のうちの、この第２の導電体層３２２に最も近い位置のスルーホール３２６に電気的に接続されるように、第２の導電体層３２２から細い導体層が当該スルーホール３２６まで延長されている。
【０１０６】
一方、誘電体シート３１０Ｂの他方の面３１０Ｂｂ側には、その長手方向に、第３の導電体層３２７が、誘電体シート３１０Ｂの一方の面３１０Ｂａ側の空き区間３２３に対応する区間を含んで形成されている。ただし、この第３の導電体層３２７は、誘電体シート３１０Ｂの一方の面３１０Ｂａ側の、前記空き区間３２３に対向する区間では、図１３（Ｂ）に示すように、スルーホール３２４及び３２６とは接続されることなく、中央のスルーホール３２５にのみ接続されるように鉤型に形成されている。
【０１０７】
なお、この第５の実施形態においても、前述の実施形態と同様に、第１〜第３の導電体層３２１，３２２，３２７のそれぞれは、誘電体シート３１０Ｂの幅方向の端縁にまでは形成されず、端縁から所定の距離（前述した距離ｄ１）だけ内側となるように形成されて、前述した水滴の付着によるフィルム状コンデンサ３００Ｂの静電容量が大きく変化してしまわないようにする湿度対策がなされている。
【０１０８】
以上のように第１〜第３の導電体層３２１，３２２，３２７が誘電体シート３１０Ｂの両面に形成されているので、この第５の実施形態におけるフィルム状コンデンサ３００Ｂにおいては、第１の導電体層３２１と第３の導電体層３２７とが誘電体シート３１０Ｂを介して対向することで、第１のコンデンサを構成する。そして、スルーホール３２４及び３２５を、この第１のコンデンサの一方の電極及び他方の電極とすることができる。
【０１０９】
また、この第５の実施形態におけるフィルム状コンデンサ３００Ｂにおいては、第２の導電体層３２２と第３の導電体層３２７とが誘電体シート３１０Ｂを介して対向することで、第２のコンデンサを構成する。そして、スルーホール３２６及び３２５を、この第２のコンデンサの一方の電極及び他方の電極とすることができる。
【０１１０】
したがって、３個のスルーホール３２４，３２５，３２６を、プリント配線基板１０８の導体パターンに接続するだけで、第１のコンデンサ及び第２のコンデンサを、位置指示コイル１０６に対して所望の接続態様で接続することができる。
【０１１１】
図１４に、この第５の実施形態におけるフィルム状コンデンサ３００Ｂの、プリント配線基板１０８Ｄへの取り付け例を説明するための図を示す。図１４（Ａ）は、この例のプリント配線基板１０８Ｄにおける導体パターンの一例を、プッシュスイッチ１１１の配置例と共に示す図である。また、図１４（Ｂ）は、第４の実施形態におけるプリント配線基板１０８Ｄに対して、フィルム状コンデンサ３００Ｂを取り付けた状態を説明するための図である。
【０１１２】
この図１４の例は、図１４（Ａ）において点線で示したように、第１の導電体層３２１と第３の導電体層３２７とで構成される第１のコンデンサを、プッシュスイッチ１１１がオンであるときの共振回路の共振周波数の調整用のコンデンサ１１３とし、第２の導電体層３２２と第３の導電体層３２７とで構成される第２のコンデンサを、プッシュスイッチ１１１がオフであるときの共振回路の共振周波数の調整用のトリマーコンデンサ１１４とする場合である。
【０１１３】
図１４（Ａ）に示すように、この例のプリント配線基板１０８Ｄの表面１０８ｓには、第１の導体パターン５１と、第２の導体パターン５２と、第３の導体パターン５３とが形成されている。
【０１１４】
第１の導体パターン５１の一方の端部には、フィルム状コンデンサ３００Ｂのスルーホール３２６が半田付けにより接続されるためのランドパターン５１ａが形成されている。また、第２の導体パターン５２の一方の端部には、フィルム状コンデンサ３００Ｂのスルーホール３２５が半田付けにより接続されるためのランドパターン５２ａが形成されている。さらに、第３の導体パターン５３の一方の端部には、フィルム状コンデンサ３００Ｂのスルーホール３２４が半田付けにより接続されるためのランドパターン５３ａが形成されている。
【０１１５】
そして、図１４（Ａ）に示すように、この例のプリント配線基板１０８Ｄにおいては、位置指示コイル１０６の一端１０６ａが、第１の導体パターン５１の他方の端部に例えば半田付けされて電気的に接続されると共に、位置指示コイルの他端１０６ｂが、第２の導体パターン５２の他方の端部に例えば半田付けされて電気的に接続される。
【０１１６】
また、第１の導体パターン５１は、途中から分岐されて、プッシュスイッチ１１１の一方の端子１１１ａが半田付けされるランドパターンに接続されている。また、プッシュスイッチ１１１の他方の端子１１１ｂは第３の導体パターン５３の他方の端部に形成されているランドパターンに接続されている。
【０１１７】
なお、図１４（Ａ）に示すように、第２の導体パターン５２と第３の導体パターン５３とは、引き回しの都合上交差するので、この例の場合、第２の導体パターン５２は、スルーホール５４，５５を通じて、その一部がプリント配線基板１０８Ｄの裏面側を通るように配設されている。
【０１１８】
そして、以上のような導体パターンの構成とされているプリント配線基板１０８Ｄに対して、フィルム状コンデンサ３００Ｂが、図１４（Ｂ）に示すように、スルーホール３２４が第３の導体パターン５３のランドパターン５３ａに半田付けされ、スルーホール３２５が第２の導体パターン５２のランドパターン５２ａに半田付けされ、スルーホール３２６が第１の導体パターン５１のランドパターン５１ａに半田付けされることて、取り付けられて固定される。
【０１１９】
すると、図１４（Ａ）から明らかなように、第１の導電体層３２１と第３の導電体層３２７とで構成される第１のコンデンサが、プッシュスイッチ１１１に直列に接続されると共に、そのプッシュスイッチ１１１と第１のコンデンサとの直列回路が、位置指示コイル１０６と並列に接続される。また、第２の導電体層３２２と第３の導電体層３２７とで構成される第２のコンデンサが、位置指示コイル１０６と並列に接続される。
【０１２０】
そして、前述の実施形態と同様に、第１の導電体層３２１と第３の導電体層３２７とで構成される第１のコンデンサ及び第２の導電体層３２２と第３の導電体層３２７とで構成される第２のコンデンサのそれぞれは、フィルム状コンデンサ３００Ｂの長手方向の遊端側を、例えば鋏などにより切断することで、それぞれの静電容量が可変調整される。
【０１２１】
以上のようにして、この第５の実施形態においては、フィルム状コンデンサ３００Ｂを、半田付けするだけで、プリント配線基板１０８Ｄに取り付けることができる。したがって、プリント配線基板やフィルム状コンデンサに、第４の実施形態のような切れ込み溝を設ける必要はない。また、第４の実施形態の場合のような圧着クリップを用いる必要もない。
【０１２２】
また、この第５の実施形態によれば、３個のスルーホール３２４，３２５，３２６は、前述したように、フィルム状コンデンサ３００Ｂの長手方向に斜めに形成されているので、フィルム状コンデンサ３００Ｂは、その幅方向の３点でプリント配線基板１０８Ｄに固定されることになり、３個のスルーホールが長手方向に沿って一列に配設される場合に比べて、より強固に固定される。
【０１２３】
なお、以上の第５の実施形態は、プッシュスイッチ１１１を備える位置指示器の場合であるので、第１の導電体層３２１と第３の導電体層３２７とで構成される第１のコンデンサと、第２の導電体層３２２と第３の導電体層３２７とで構成される第２のコンデンサとを、プッシュスイッチ１１１のオン及びオフのときの共振回路の共振周波数の調整用とした。
【０１２４】
しかし、位置指示器には、プッシュスイッチを有しないものもあり、その場合には、共振回路の共振周波数の調整用コンデンサは、１個で良い。第５の実施形態におけるフィルム状コンデンサ３００Ｂは、このようなプッシュスイッチを有しない位置指示器の場合にも勿論適用できる。
【０１２５】
すなわち、プッシュスイッチを有しない位置指示器の場合には、フィルム状コンデンサ３００Ｂの第１のコンデンサと、第２のコンデンサの一方のみを、共振周波数の調整のために長さ方向を切断することができるように構成する。そして、フィルム状コンデンサ３００Ｂの第１のコンデンサと第２のコンデンサの他方のコンデンサは、位置指示器の共振回路の大まかな共振周波数を決定するための複数個のチップコンデンサの一部として用いるようにする。したがって、その場合には、フィルム状コンデンサ３００Ｂの第１のコンデンサと第２のコンデンサの他方のコンデンサの長手方向の長さは、当該チップコンデンサとして適切なものとなるような長さに選定される。
【０１２６】
なお、フィルム状コンデンサ３００Ｂの第１のコンデンサと第２のコンデンサの他方のコンデンサのみで、位置指示コイルとの並列共振回路の共振周波数を設定する静電容量として十分であるときには、他のチップコンデンサは不要であることは言うまでもない。
【０１２７】
なお、第４の実施形態におけるフィルム状コンデンサも、第５の実施形態と同様に、プッシュスイッチを有しない位置指示器にも適用できることは言うまでもない。
【０１２８】
［その他の実施形態または変形例］
上述の実施形態の位置指示器は、位置検出装置からの信号エネルギーを電磁誘導により共振回路で受信し、当該共振回路で蓄積したエネルギーを、位置検出装置に変換するようにした構成のものであったが、この発明は、位置指示器自身が信号送信回路を備え、位置検出装置に信号を送信する位置指示器における回路の定数の特定用としても適用することができる。
【０１２９】
また、上述の実施形態は、この発明を、電磁誘導方式の位置指示器に適用した場合の構成例であったが、この発明は、位置指示器に限らず、コンデンサを含む時定数回路や共振回路などの電子回路に適用可能である。そして、この発明は、共振周波数の周波数調整用や時定数回路の時定数の調整用としてのみではなく、コンデンサの静電容量により調整可能な種々の電子回路の定数の特定用として適用することができるものである。
【０１３０】
また、上述の第１〜第３の実施形態では、フィルム状コンデンサは、１個のコンデンサを有するものとし、また、第４の実施形態及び第５の実施形態は、第１のコンデンサと第２のコンデンサとの２個のコンデンサを有するものとした。しかし、この発明に用いるフィルム状コンデンサは、３個以上のコンデンサを有する構成としても勿論良い。特に、時定数や共振周波数あるいはその他の定数など、複数の定数の特定が必要な電子回路に使用する場合を考慮した場合には、フィルム状コンデンサは、３個以上のコンデンサを有するものが好ましい。
【０１３１】
図１５（Ａ），（Ｂ）及び図１５（Ｃ），（Ｄ）は、４個以上のコンデンサを有するフィルム状コンデンサの構成例を示すものである。図１５（Ａ），（Ｂ）は、そのようなフィルム状コンデンサの第１の例を示すものであり、また、図１５（Ｃ），（Ｄ）は、そのようなフィルム状コンデンサの第２の例を示すものである。なお、これらの第１の例及び第２の例は、前述した第５の実施形態で用いられたフィルム状コンデンサ３００Ｂの変形例である。
【０１３２】
先ず、図１５（Ａ），（Ｂ）に示す第１の例のフィルム状コンデンサ４００について説明する。図１５（Ａ）は、この第１の例のフィルム状コンデンサ４００の矩形の細長の誘電体シート４１０の一方の面４１０ａ側を示し、図１５（Ｂ）は、誘電体シート４１０の一方の面４１０ａとは反対側の面４１０ｂ側を示している。
【０１３３】
この第１の例のフィルム状コンデンサ４００の誘電体シート４１０も、厚さが例えば１２〜２５μｍ、幅が例えば２〜３ｍｍで、長手方向の長さＬが例えば３５ｍｍとされた帯状に構成されている。
【０１３４】
図１５（Ａ）に示すように、この第１の例のフィルム状コンデンサ４００においては、誘電体シート４１０の一方の面４１０ａ側には、その長手方向の、ほぼ中央の空き区間４２０を間に挟む２領域の一方の領域には、第１の導電体層４１１と第２の導電体層４１２とが形成され、他方の領域には、第３の導電体層４１３と第４の導電体層４１４とが形成されている。
【０１３５】
この例では、第１の導電体層４１１と第２の導電体層４１２とは、誘電体シート４１０の幅方向の領域を２分割した領域に互いに平行に形成されており、この第１の例では、その長手方向の長さ及び幅方向の長さが等しく選定されている。同様に、第３の導電体層４１３と第４の導電体層４１４とは、誘電体シート４１０の幅方向の領域を２分割した領域に互いに平行に形成されており、この第１の例では、その長手方向の長さ及び幅方向の長さが等しく選定されている。
【０１３６】
空き区間４２０には、この第１の例では、互いに電気的に非接続とされた５個のスルーホール４２１〜４２５が形成されている。この例では、スルーホール４２５が、誘電体シート４１０の、この空き区間４２０の中央の位置に形成されている。そして、長手方向に対して、所定の角度＋θで交差する斜め方向に一列に、スルーホール４２１、４２５、４２４が順次並ぶような位置に、スルーホール４２１，４２４が形成される。また、長手方向に対して、所定の角度−θで交差する斜め方向に一列に、スルーホール４２２、４２５、４２３が順次並ぶような位置に、スルーホール４２２，４２３が形成される。
【０１３７】
したがって、スルーホール４２１、４２２は、誘電体シート４１０の幅方向の両端に形成されると共に、スルーホール４２３、４２４も、誘電体シート４１０の幅方向の両端に形成される。そして、これらスルーホール４２１〜４２５は、それぞれをプリント配線基板に対して半田付けしたときにも、互いに電気的に非接続となるような間隔を空けて配置されている。
【０１３８】
空き区間４２０は、誘電体シート４１０の一方の面４１０ａ側において導電体層４１１〜４１４が形成されない区間である。ただし、この例では、図１５（Ａ）に示すように、第１の導電体層４１１は、スルーホール４２１に電気的に接続されるように、この第１の導電体層４１１から細い導体層が当該スルーホール４２１まで延長されている。また、第２の導電体層４１２は、スルーホール４２２に電気的に接続されるように、第２の導電体層４１２から細い導体層が当該スルーホール４２２まで延長されている。
【０１３９】
また、第３の導電体層４１３は、スルーホール４２３に電気的に接続されるように、この第３の導電体層４１３から細い導体層が当該スルーホール４２３まで延長されている。また、第４の導電体層４１４は、スルーホール４２４に電気的に接続されるように、第４の導電体層４１４から細い導体層が当該スルーホール４２４まで延長されている。
【０１４０】
一方、誘電体シート４１０の他方の面４１０ｂ側には、その長手方向に、第５の導電体層４１５が、誘電体シート４１０の一方の面４１０ａ側の空き区間４２０に対応する区間を含んで形成されている。ただし、この第５の導電体層４１５は、誘電体シート４１０の一方の面４１０ａ側の、前記空き区間４２０に対向する区間では、図１５（Ｂ）に示すように、スルーホール４２１〜４２４とは接続されることなく、中央のスルーホール４２５にのみ接続されるように細い導電体パターンとして形成されている。
【０１４１】
なお、この第１の例においても、前述の実施形態と同様に、第１〜第５の導電体層４１１〜４１５のそれぞれは、誘電体シート４１０の幅方向の端縁にまでは形成されず、端縁から所定の距離（前述した距離ｄ１）だけ内側となるように形成されて、前述した水滴の付着によるフィルム状コンデンサ４００の静電容量が大きく変化してしまわないようにする湿度対策がなされている。
【０１４２】
以上のように第１〜第５の導電体層４１１〜４１５が誘電体シート４１０の両面に形成されているので、この第１の例におけるフィルム状コンデンサ４００においては、第１〜第４の導電体層４１１〜４１４のそれぞれと、第５の導電体層４１５とが誘電体シート４１０を介して対向することで、第１〜第４のコンデンサの４個のコンデンサを構成する。そして、スルーホール４２５を、例えばこれら第１〜第４のコンデンサの共通の他方の電極とすると共に、スルーホール４２１〜４２４のそれぞれを、これら第１〜第４のコンデンサの一方の電極とすることができる。
【０１４３】
そして、この第１の例においては、プリント配線基板に形成される電子回路において、前記第１〜第４のコンデンサに接続するための所定の導電パターンを形成しておくと共に、上述した第５の実施形態と同様にして、５個のスルーホール４２１〜４２５のそれぞれを、プリント配線基板の、対応する導体パターンに半田付けして接続して固定する。これにより、電子回路において、第１のコンデンサ〜第４のコンデンサを、所望の接続態様で接続して、静電容量調整用のコンデンサとして用いることができる。
【０１４４】
次に、図１５（Ｃ），（Ｄ）に示す第２の例のフィルム状コンデンサ４３０について説明する。この第２の例のフィルム状コンデンサ４３０は、第１の例のフィルム状コンデンサ４００の変形例である。この第２の例において、第１の例と同一部分には、同一参照符号を付してある。
【０１４５】
図１５（Ｃ）は、この第２の例のフィルム状コンデンサ４３０の矩形の細長の誘電体シート４１０の一方の面４１０ａ側を示し、図１５（Ｄ）は、誘電体シート４１０の一方の面４１０ａとは反対側の面４１０ｂ側を示している。
【０１４６】
この第２の例のフィルム状コンデンサ４３０においては、空き区間４２０には、スルーホール４２１〜４２４は、第１の例と同様に形成する。しかし、中央のスルーホール４２５は形成されず、その代わりに、スルーホール４２１とスルーホール４２２との間に、これらスルーホール４２１及び４２２と幅方向に一列に並ぶように、スルーホール４２６を設けると共に、スルーホール４２３とスルーホール４２４との間に、これらスルーホール４２３及び４２４と幅方向に一列に並ぶように、スルーホール４２７を設ける
そして、この第２の例のフィルム状コンデンサ４３０においては、誘電体シート４１０の一方の面４１０ａ側では、図１５（Ｃ）に示すように、第１〜第４の導電体層４１１〜４１４のそれぞれは、第１の例と同様にして形成されると共に、スルーホール４２１〜４２４に接続される。
【０１４７】
上述した第１の例のフィルム状コンデンサ４００では、誘電体シート４１０の一方の面４１０ａとは反対側の面４１０ｂ側には、第１〜第４の導電体層４１１〜４１４に対して共通の１個の第５の導電体層４１５を形成すると共に、この第５の導電体層４１５を、スルーホール４２５に接続するようにした。
【０１４８】
これに対して、この第２の例のフィルム状コンデンサ４３０の誘電体シート４１０の一方の面４１０ａとは反対側の面４１０ｂ側においては、第１の例の第５の導電体層４１５の代わりに、第１及び第２の導電体層４１１及び４１２に誘電体シート４１０を介して対向する第６の導電体層４１６と、第３及び第４の導電体層４１３及び４１４に誘電体シート４１０を介して対向する第７の導電体層４１７を形成する。
【０１４９】
そして、第６の導電体層４１６は、スルーホール４２６に接続するようにその導体層を延長して形成する。また、第７の導電体層４１７は、スルーホール４２７に接続するようにその導体層を延長して形成する。
【０１５０】
この図１５（Ｃ）、（Ｄ）に示した第２の例のフィルム状コンデンサ４３０においては、第１及び第２の導電体層４１１及び４１２のそれぞれと、第６の導電体層４１６とが誘電体シート４１０を介して対向することで、第１及び第２のコンデンサを構成し、第３及び第４の導電体層４１３及び４１４のそれぞれと、第７の導電体層４１７とが誘電体シート４１０を介して対向することで、第３及び第４のコンデンサを構成する。そして、スルーホール４２６とスルーホール４２７とが設けられて、第６の導電体層４１６と、第７の導電体層４１７が非接続となっているので、この第２の例のフィルム状コンデンサ４３０は、第１及び第２のコンデンサと、第３及び第４のコンデンサとを、それぞれ別々の回路用として利用することができるという利点がある。
【０１５１】
なお、図１５に示した第１及び第２の例においては、空き区間４２０を、誘電体シート４１０の長手方向の中央に設けたが、空き区間４２０の長手方向の位置は、第１及び第２のコンデンサと、第３及び第４のコンデンサとの静電容量の違いに応じて、誘電体シート４１０の長手方向の一方寄りの位置となることは言うまでもない。また、誘電体シート４１０の幅方向に分離して形成した第１の導電体層４１１と第２の導電体層４１２、あるいは第３の導電体層４１３と第４の導電体層４１４とは、その長手方向及び幅方向の長さを同一としたが、それぞれ、必要とする静電容量に応じた長手方向及び幅方向の長さとするようにして、互いに異ならせても良い。
【０１５２】
また、図１５の例では、誘電体シートの幅方向に２個ずつの導電体層を設けるようにしたが、幅方向に３個以上の導電体層を設けると共に、スルーホールをその導電体層のそれぞれに対応して設けるようにしても良い。
【符号の説明】
【０１５３】
１０…誘電体シート、１１…導電体層、１２…導電体層、１００…位置指示器、１０１…ケース、１０４…突出部材（ペン先部材）、１０６…位置指示コイル、１０８…プリント配線基板、１１１…プッシュスイッチ、１１４…フィルム状コンデンサ
【図１】
2014035626.tif 000003
【図２】
2014035626.tif 000004
【図３】
2014035626.tif 000005
【図４】
2014035626.tif 000006
【図５】
2014035626.tif 000007
【図６】
2014035626.tif 000008
【図７】
2014035626.tif 000009
【図８】
2014035626.tif 000010
【図９】
2014035626.tif 000011
【図１０】
2014035626.tif 000012
【図１１】
2014035626.tif 000013
【図１２】
2014035626.tif 000014
【図１３】
2014035626.tif 000015
【図１４】
2014035626.tif 000016
【図１５】
2014035626.tif 000017